(57)【要約】      （修正有）【課題】トイレトレーニング用及び通常用として兼用できる使い捨ておむつを提供する。【解決手段】股間部Ｍを含む範囲に内蔵された吸収体２３を有し、吸収体２３の表側を覆う液透過性のトップシート２２を有する、使い捨ておむつにおいて、トップシート２２は、股間部Ｍの少なくとも一部を含む範囲に、ミシン目８０により剥離可能に設けられた剥離部２２ｐを有しており、トップシート２２のうち、剥離部２２ｐは尿知覚効果を有するとともに、トップシート２２以外は尿知覚効果を有しない。【選択図】図７
2020049023.tif 000002
【特許請求の範囲】
【請求項１】
前後方向中央を含む股間部と、前後方向中央より前側に延びる前側部分と、前後方向中央より後側に延びる後側部分とを有し、
前記股間部を含む範囲に内蔵された吸収体を有し、
前記吸収体の表側を覆う液透過性のトップシートを有する、
使い捨ておむつにおいて、
前記トップシートは、前記股間部の少なくとも一部を含む範囲に剥離可能に設けられた剥離部を有しており、
前記トップシートのうち、前記剥離部は尿知覚効果を有するとともに、前記トップシート以外は尿知覚効果を有しない、
ことを特徴とする、使い捨ておむつ。
【請求項２】
トップシートの両側部を含む部分に固定された付根部分と、この付根部分から延び出た本体部分、この本体部分の前後方向両端部が倒伏状態に固定された倒伏部分と、前記本体部分のうち前後の倒伏部分間に位置する非固定の起き上がり部分と、前記起き上がり部分の少なくとも先端部に固定されたギャザー弾性部材とを有する起き上がりギャザーとを備えており、
前記トップシートは、裏側に隣接する部材に対して剥離可能とされた第１部分と、裏側に隣接する部材に固定された第２部分とを有し、
前記第１部分は、前記トップシートの幅方向の中間に位置するとともに、前記トップシートの前後方向全体にわたっており、
前記第２部分は、前記トップシートにおける前記第１部分の両脇に位置し、前記トップシートの前後方向全体にわたっており、
前記トップシートは、その前端から後端まで、前記第１部分の両側部をそれぞれ通り連続する、一対のミシン目を有しており、
前記ミシン目は、前記倒伏部分と対応する前後方向の位置では前記倒伏部分よりも幅方向の中央側に、及び前記起き上がり部分と対応する前後方向の位置では前記付根部分よりも幅方向の中央側に設けられており、
前記一対のミシン目の間の部分が前記剥離部である、
請求項１記載の使い捨ておむつ。
【請求項３】
前記トップシートは、前記剥離部の側方まで尿知覚効果を有しており、
前記ミシン目は、前記起き上がり部分と対応する前後方向の位置では、展開状態における前記起き上がり部分の先端の位置よりも幅方向の外側に設けられている、
請求項２記載の使い捨ておむつ。
【請求項４】
前記ミシン目は、前記倒伏部分と対応する前後方向の位置では前記倒伏部分よりも幅方向の中央側に離間しており、
前記第１部分は、前記ミシン目から側方に離間した位置まで延びており、
前記剥離部を剥離したときに前記ミシン目よりも側方に残留する残留部分が、前記裏側に折り返し可能である、
請求項２又は３記載の使い捨ておむつ。
【請求項５】
前記剥離部は、前後少なくとも一方の端部に位置する摘み部と、この摘み部以外の部分に位置する仮止め部とを有し、
前記摘み部は、裏側に隣接する部材に固定されておらず、前記仮止め部は、裏側に隣接する部材に剥離可能に接合されている、
請求項２〜４のいずれか１項に記載の使い捨ておむつ。
【発明の詳細な説明】
【技術分野】
【０００１】
本発明は、いわゆるトイレトレーニングに用いられる使い捨ておむつに関するものである。
【背景技術】
【０００２】
トイレトレーニング用の使い捨ておむつは、装着者に排尿を知覚させるために、湿潤や冷感による不快感を強調する工夫を施したものである。
【０００３】
トイレトレーニングを行う場合、昼間はトイレトレーニング用の使い捨ておむつを用いるが、夜間は快眠のために、トイレトレーニング用ではない通常の使い捨ておむつを用いることが多い。また、昼間であっても、外出中は通常の使い捨ておむつを用いることがある。このため、使用者は、トイレトレーニング用及び夜用の２種類の使い捨ておむつを用意しなければならない、という問題点があった。
【先行技術文献】
【特許文献】
【０００４】
【特許文献１】特開平０８−０７１１０６号公報
【特許文献２】特開２０１６−０３２５５５号公報
【発明の概要】
【発明が解決しようとする課題】
【０００５】
そこで、本発明の主たる課題は、トイレトレーニング用及び通常用として兼用できる使い捨ておむつを提供することにある。
【課題を解決するための手段】
【０００６】
上記課題を解決した使い捨ておむつは以下のとおりである。
＜第１の態様＞
前後方向中央を含む股間部と、前後方向中央より前側に延びる前側部分と、前後方向中央より後側に延びる後側部分とを有し、
前記股間部を含む範囲に内蔵された吸収体を有し、
前記吸収体の表側を覆う液透過性のトップシートを有する、
使い捨ておむつにおいて、
前記トップシートは、前記股間部の少なくとも一部を含む範囲に剥離可能に設けられた剥離部を有しており、
前記トップシートのうち、前記剥離部は尿知覚効果を有するとともに、前記トップシート以外は尿知覚効果を有しない、
ことを特徴とする、使い捨ておむつ。
【０００７】
（作用効果）
本使い捨ておむつでは、トップシートの剥離部を剥離せずにそのまま使用すれば、その剥離部の尿知覚効果によりトイレトレーニング用として用いることができる。一方、夜間や外出の際には、トップシートの剥離部を剥離し、取り除いてしまえば尿知覚効果の減少した通常の使い捨ておむつとして使用することができる。したがって、トイレトレーニング用及び通常用として兼用できることはもちろん、その変更は極めて容易である。
なお、「尿知覚効果を有する」とは、排尿時に装着者による尿の知覚を促すような工夫がなされているものをいい、「尿知覚効果を有しない」とはそのような工夫がないものいう。
【０００８】
＜第２の態様＞
トップシートの両側部を含む部分に固定された付根部分と、この付根部分から延び出た本体部分、この本体部分の前後方向両端部が倒伏状態に固定された倒伏部分と、前記本体部分のうち前後の倒伏部分間に位置する非固定の起き上がり部分と、前記起き上がり部分の少なくとも先端部に固定されたギャザー弾性部材とを有する起き上がりギャザーとを備えており、
前記トップシートは、裏側に隣接する部材に対して剥離可能とされた第１部分と、裏側に隣接する部材に固定された第２部分とを有し、
前記第１部分は、前記トップシートの幅方向の中間に位置するとともに、前記トップシートの前後方向全体にわたっており、
前記第２部分は、前記トップシートにおける前記第１部分の両脇に位置し、前記トップシートの前後方向全体にわたっており、
前記トップシートは、その前端から後端まで、前記第１部分の両側部をそれぞれ通り連続する、一対のミシン目を有しており、
前記ミシン目は、前記倒伏部分と対応する前後方向の位置では前記倒伏部分よりも幅方向の中央側に、及び前記起き上がり部分と対応する前後方向の位置では前記付根部分よりも幅方向の中央側に設けられており、
前記一対のミシン目の間の部分が前記剥離部である、
第１の態様の使い捨ておむつ。
【０００９】
（作用効果）
本使い捨ておむつでは、一対のミシン目の間の部分が剥離部となる。よって、ミシン目を切り離さずにそのまま使用すれば、その間に位置する部分（剥離部）の尿知覚効果によりトイレトレーニング用として用いることができる。一方、夜間や外出の際には、一対のミシン目を切り離して、その間に位置する部分（剥離部）を剥離し、取り除いてしまえば尿知覚効果の減少した通常の使い捨ておむつとして使用することができる。つまり、尿知覚効果は股間部こそ重要であり、股間部における尿知覚効果がなくなるということは、通常使用に足ることを意味する。また、トップシートの全体にわたり尿知覚効果用の薬液を含有させた場合のように、トップシートの剥離部分以外（ミシン目の外側）にも尿知覚効果を有する場合、剥離部を剥離しても尿知覚効果は残ることになるが、その面積は剥離部よりも格段に小さく、しかもその部分は起き上がりギャザーの存在により隠れるか、若しくは露出するとしても肌に触れにくいか、又は尿で濡れにくい部分であるため、尿知覚効果は格段に減少しており、通常使用に足るということができる。
なお、「第１部分の両側部」とは、第１部分内だけでなく、第１部分及び第２部分の境界を含み、第２部分内は含まない意味である。
【００１０】
＜第３の態様＞
前記トップシートは、前記剥離部の側方まで尿知覚効果を有しており、
前記ミシン目は、前記起き上がり部分と対応する前後方向の位置では、展開状態における前記起き上がり部分の先端の位置よりも幅方向の外側に設けられている、
第２の態様の使い捨ておむつ。
【００１１】
（作用効果）
トップシートは、剥離部の側方まで尿知覚効果をもたせる（全体を濡れやすい素材とする等）と、製造が容易という点では好ましい。しかし、この場合、剥離部を剥離しても尿知覚効果が残ることは前述のとおりである。そこで、本態様のようにミシン目の位置を起き上がり部分と重なる位置まで入り込ませ、剥離部を剥離した際に残る部分のうち大部分が起き上がりギャザーの起き上がり部分で隠れるようにするのは好ましい。この場合、剥離部を剥離すると、倒伏部分と対応する前後方向の位置では、剥離部の側方に残る尿知覚効果を有する部分は露出するが、そこは尿で濡れにくい部分であるため、尿知覚効果は格段に減少しており、通常使用に足るものとなる。
【００１２】
＜第４の態様＞
前記ミシン目は、前記倒伏部分と対応する前後方向の位置では前記倒伏部分よりも幅方向の中央側に離間しており、
前記第１部分は、前記ミシン目から側方に離間した位置まで延びており、
前記剥離部を剥離したときに前記ミシン目よりも側方に残留する残留部分が、前記裏側に折り返し可能である、
第２又は３の態様の使い捨ておむつ。
【００１３】
（作用効果）
前記剥離部を剥離したときに残るミシン目の切り口は、肌触りを悪化させるおそれがある。これに対して、本態様のように、剥離部を剥離したときに前記ミシン目よりも側方に残留する残留部分が、裏側に折り返し可能であると、ミシン目の切り口を隠すことができ、ミシン目の切り口による肌触りの悪化を防止できるため好ましい。
【００１４】
＜第５の態様＞
前記剥離部は、前後少なくとも一方の端部に位置する摘み部と、この摘み部以外の部分に位置する仮止め部とを有し、
前記摘み部は、裏側に隣接する部材に固定されておらず、前記仮止め部は、裏側に隣接する部材に剥離可能に接合されている、
第２〜４のいずれか１つの態様の使い捨ておむつ。
【００１５】
（作用効果）
このような摘み部を有することにより、剥離部の剥離開始が容易となる。また、摘み部以外に仮止め部を設けることにより、トップシートが浮いたり、皺が寄ったりするのを防止でき、もって見栄えや装着感、吸収性能に悪影響が出るのを防止することができる。
【発明の効果】
【００１６】
本発明によれば、トイレトレーニング用及び通常用として兼用できるようになる、等の利点がもたらされる。
【図面の簡単な説明】
【００１７】
【図１】展開状態のパッドタイプ使い捨ておむつの表側を示す平面図である。
【図２】展開状態のパッドタイプ使い捨ておむつの裏側を示す平面図である。
【図３】図１のＡ−Ａ線で示す片側（反対側は対称に現れる）の断面図である。
【図４】図１のＢ−Ｂ線で示す片側（反対側は対称に現れる）の断面図である。
【図５】図１のＣ−Ｃ線で示す片側（反対側は対称に現れる）の断面図である。
【図６】パッドタイプ使い捨ておむつの使用方法を概略的に示す斜視図である。
【図７】展開状態のパッドタイプ使い捨ておむつの表側を示す平面図である。
【図８】剥離部を取り除いた後の、（ａ）展開状態のパッドタイプ使い捨ておむつの表側、及び（ｂ）剥離部を示す平面図である。
【図９】剥離部を取り除いた後の、図３に相当する断面図である
【図１０】剥離部を取り除いた後の、図４に相当する断面図である。
【図１１】展開状態のパッドタイプ使い捨ておむつの表側を示す平面図である。
【図１２】展開状態のパッドタイプ使い捨ておむつの表側を示す平面図である。
【図１３】剥離部を取り除いた後の、図１２のＡ−Ａ線で示す片側（反対側は対称に現れる）の断面図である。
【図１４】剥離部を取り除いた後の、図１２のＢ−Ｂ線で示す片側（反対側は対称に現れる）の断面図である。
【図１５】展開状態のパッドタイプ使い捨ておむつの表側を示す平面図である。
【発明を実施するための形態】
【００１８】
以下、使い捨ておむつの一つである、パッドタイプ使い捨ておむつの例について添付図面を参照しつつ説明する。図１〜図５は、パッドタイプ使い捨ておむつ２００を示している。このパッドタイプ使い捨ておむつ２００は、前後方向ＬＤの中央２０１を含む股間部Ｍと、前後方向ＬＤの中央２０１よりも前側に延在する前側部分Ｆ１及び前後方向ＬＤの中央２０１よりも後側に延在する後側部分Ｂ１とを有するものである。各部の寸法は適宜定めることができ、例えば、物品全長（前後方向長さ）Ｌ１は２００〜４８０ｍｍ程度、全幅Ｗ１は１２０〜２００ｍｍ程度とすることができる。
【００１９】
パッドタイプ使い捨ておむつ２００は、股間部Ｍを含む範囲に内蔵された吸収体２３と、吸収体２３の表側を覆う液透過性のトップシート２２と、吸収体２３の裏側を覆う液不透過性シート２１とを有している。以下、各部の素材及び特徴部分について順に説明する。なお、以下の説明における不織布としては、部位や目的に応じて公知の不織布を適宜使用することができる。不織布の構成繊維としては、例えばポリエチレン又はポリプロピレン等のオレフィン系、ポリエステル系、ポリアミド系等の合成繊維（単成分繊維の他、芯鞘等の複合繊維も含む）の他、レーヨンやキュプラ等の再生繊維、綿等の天然繊維等、特に限定なく選択することができ、これらを混合して用いることもできる。不織布の柔軟性を高めるために、構成繊維を捲縮繊維とするのは好ましい。また、不織布の構成繊維は、親水性繊維（親水化剤により親水性となった疎水性繊維を含む）であっても、疎水性繊維若しくは撥水性繊維（撥水剤により撥水性となった撥水性繊維を含む）であってもよい。また、不織布は一般に繊維の長さや、シート形成方法、繊維結合方法、積層構造により、短繊維不織布、長繊維不織布、スパンボンド不織布、メルトブローン不織布、スパンレース不織布、サーマルボンド（エアスルー）不織布、ニードルパンチ不織布、ポイントボンド不織布、積層不織布（スパンボンド層間にメルトブローン層を挟んだＳＭＳ不織布、ＳＭＭＳ不織布等）等に分類されるが、これらのどの不織布も用いることができる。
【００２０】
（吸収体）
吸収体２３としては、パルプ繊維の積繊体、セルロースアセテート等のフィラメントの集合体、あるいは不織布を基本とし、必要に応じて高吸収性ポリマーを混合、固着等してなるものを用いることができる。必要に応じて、吸収体２３はクレープ紙や不織布（図示せず）により包むことができる。また、吸収体２３の形状は、長方形状等、適宜の形状とすることができるが、図示例では、股間部Ｍを含む前後方向ＬＤの範囲に、前後両側よりも幅の狭い括れ部２３ｎを有する形状（略砂時計形状）となっている。吸収体２３における繊維目付け及び吸収性ポリマーの目付けは適宜定めることができるが、繊維目付けは１００〜６００ｇ／ｍ2程度とするのが好ましく、また吸収性ポリマーの目付け０〜４００ｇ／ｍ2程度とするのが好ましい。
【００２１】
（液不透過生シート）
吸収体２３の裏側には、液不透過性シート２１が設けられている。液不透過性シート２１としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸又は二軸方向に延伸することにより得られる微多孔性シートを用いることができる。図示例では、液不透過性シート２１が吸収体２３の周囲にはみ出しているが、吸収体２３の周囲にはみ出していなくてもよい。
【００２２】
液不透過性シート２１の外面（裏面）は、外装シート２５により覆われている。外装シート２５としては各種の不織布を用いることができる。
【００２３】
（トップシート）
吸収体２３の表側は、トップシート２２により覆われている。図示例ではトップシート２２の側縁から吸収体２３が一部はみ出しているが、吸収体２３の側縁が食み出さないようにトップシート２２の幅を広げることもできる。トップシート２２としては、有孔又は無孔の不織布や穴あきプラスチックシートなどが用いられる。
【００２４】
（中間シート）
トップシート２２の裏側に隣接して中間シート２４が設けられていると好ましい。中間シート２４は前後方向等に一部重なるように複数枚配置されていてもよい。中間シート２４としては、有孔又は無孔の不織布や穴あきプラスチックシートなどを用いることができる。中間シート２４の素材は、トップシート２２と同じ素材であっても、異なる素材であってもよい。
【００２５】
中間シート２４は、前後方向ＬＤ及び幅方向ＷＤの少なくとも一方においてトップシート２２より広くても、狭くても、同じでもよい。中間シート２４は、後述する剥離部の全部を含む範囲に設けられていると好ましい。なお、図示例ではトップシート２２及び中間シート２４の寸法は、前後方向ＬＤ及び幅方向ＷＤの両方でほぼ同じとなっているため、中間シート２４の幅方向ＷＤの範囲は後述する剥離部よりも広い範囲となっている。
【００２６】
（エンドフラップ部）
パッドタイプ使い捨ておむつ２００の前後端部は、吸収体２３の前後端よりも前後両側にそれぞれ延び出た、吸収体２３の存在しないエンドフラップ部ＥＦとなっている。エンドフラップ部ＥＦを構成する素材は特に限定されるものではないが、図示例では、液不透過性シート２１、外装シート２５及びトップシート２２における、吸収体２３の前後両側に延び出た部分となっている。
【００２７】
（サイドフラップ部）
また、パッドタイプ使い捨ておむつ２００の両側部は、吸収体の側方に延び出たサイドフラップ部ＳＦとなっている。サイドフラップ部ＳＦを構成する素材は特に限定されるものではないが、図示例では、液不透過性シート２１、外装シート２５、トップシート２２、及びギャザーシート６２における、吸収体２３の幅方向ＷＤの両側に延び出た部分となっている。これらを含め、素材の貼り合わせは、図中に点模様で示されたホットメルト接着剤の他、ヒートシール、超音波シール等の素材溶着により行うことができる。
【００２８】
（起き上がりギャザー）
トップシート２２上を横方向に移動する尿を遮り、横漏れを防止するために、使い捨ておむつの表面の幅方向ＷＤの両側には、トップシート２２の側部から肌側に立ち上がる（突出する）起き上がりギャザー６０が前後方向全体にわたり設けられている。
【００２９】
図示例の起き上がりギャザー６０は、サイドフラップ部ＳＦを含む領域に固定された付根部分６５と、この付根部分６５から延び出た本体部分６６と、この本体部分６６の前後方向両端部が倒伏状態に固定されて形成された倒伏部分６７と、本体部分６６のうち前後の倒伏部分６７間に位置する非固定の起き上がり部分６８と、この起き上がり部分６８の少なくとも先端部に、前後方向に伸張した状態で固定されたギャザー弾性部材６３とを有している。起き上がりギャザー６０は、先端で折り返されたギャザーシート６２により形成されており、ギャザー弾性部材６３は、図示例のように各複数本、間隔を空けて設ける他、各１本設けることができる。ギャザー弾性部材６３を有する部分の伸長率は特に限定されないが、通常の場合１５０〜３５０％が好ましく、２００〜３００％がより好ましい。
【００３０】
図示例の起き上がりギャザー６０の付根部分６５は、サイドフラップ部ＳＦにのみ設けられており、液不透過性シート２１の側部及び外装シート２５の側部に接合されているが、サイドフラップ部ＳＦから吸収体２３と重なる領域の側部まで延びていてもよい。
【００３１】
起き上がりギャザー６０の本体部分６６は、前後方向ＬＤの両端部が倒伏部分６７となっているものの、その間の部分は非固定の起き上がり部分６８とされており、この起き上がり部分６８がギャザー弾性部材６３の収縮力により起き上るようになる。おむつの装着時には、おむつが舟形に体に装着され、そしてギャザー弾性部材６３の収縮力が作用するので、ギャザー弾性部材６３の収縮力により起き上がりギャザー６０が起き上がり、脚周りに弾力的に密着する。その結果、脚周りからのいわゆる横漏れが防止される。
【００３２】
ギャザーシート６２の素材としては、プラスチックシートやメルトブローン不織布を使用することもできるが、肌への感触性の点で、不織布にシリコーンなどにより撥水処理をしたものが好適に使用される。ギャザー弾性部材６３としては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコーン、ポリエステル等、通常使用される素材を用いることができる。
【００３３】
（サイドギャザー）
各サイドフラップ部ＳＦは、股間部Ｍを含む前後方向ＬＤの範囲に、前後方向ＬＤに延びる細長状のサイド弾性部材６４を有しており、このサイド弾性部材６４を有する領域は、サイド弾性部材６４の収縮により前後方向ＬＤに収縮しているとともに前後方向ＬＤに伸長可能である伸縮領域Ａ１（サイドギャザー）を有している。サイド弾性部材６４は、図示例のように、ギャザーシート６２の接合部分のうち接合始端近傍の幅方向ＷＤ外側において、ギャザーシート６２と液不透過性シート２１との間に設けるほか、サイドフラップ部ＳＦにおける液不透過性シート２１と外装シート２５との間に設けることもできる。サイド弾性部材６４は、図示例のように各側に１本のみ設ける他、各側に複数本設けることもできる。サイド弾性部材６４としては、ギャザー弾性部材６３と同様の素材を使用することができる。
【００３４】
サイド弾性部材６４は伸縮領域Ａ１のみに存在していてもよいし、伸縮領域Ａ１よりも前側、後側又はその両側にわたり存在していてもよい。後者の場合、伸縮領域Ａ１以外は、サイド弾性部材６４が一か所又は多数個所で細かく切断されていたり、サイド弾性部材６４を挟むシートに固定されていなかったり、あるいはその両方であったりすることにより、非伸縮領域Ａ２（実質的には、弾性部材を設けないことに等しい）とされる。伸縮領域Ａ１の前後方向ＬＤの範囲は適宜定めることができるが、少なくとも股間部Ｍを含むことが望ましく、吸収体２３が括れ部２３ｎを有する場合にはその前後端部とほぼ同じ前後位置まで、前後方向ＬＤの両側に延びていることが好ましい。
【００３５】
（粘着剤層）
このパッドタイプ使い捨ておむつ２００は、図６に示すように下着１００に取り付けることができる。この際、図２、図３及び図５に示すように、パッドタイプ使い捨ておむつ２００の裏面、つまり図示例では外装シート２５の裏面には、粘着剤層３０が設けられていると、パッドタイプ使い捨ておむつ２００を下着に固定することができる。粘着剤層３０は、図示例のように、剥離シート３１により剥離可能に被覆しておき、使用時に剥離シート３１を剥離して粘着剤層３０を露出させるのが望ましい。
【００３６】
図示例では、粘着剤層３０を前後方向に沿って連続的に設けているが、前側部分Ｆ１及び後側部分Ｂ１のそれぞれに設けたり、いずれか一方のみに設けたり、股間部Ｍ等の前後方向の中間部のみに設けたりしても良い。粘着剤層３０を複数設ける場合、前側部分Ｆ１及び後側部分Ｂ１に各少なくとも一つは設けるのが好ましい。
【００３７】
粘着剤層３０は、その全体が吸収体２３と重なる領域内に収まるような寸法及び配置となっているのが好ましい。具体的には、粘着剤層３０の幅Ｗ３は吸収体２３の幅Ｗ２の７０〜８０％程度、前後方向長さＬ３（前後方向に複数設ける場合は総長さ）は吸収体２３の全長Ｌ２の６０〜９５％程度、又は物品全長Ｌ１の５０〜９５％程度であるのが好ましい。粘着剤層３０は吸収体２３と重なる領域からエンドフラップ部ＥＦまで延びていてもよい。
【００３８】
（剥離部）
特徴的には、図３、図４及び図７に示すように、トップシート２２は、股間部Ｍの少なくとも一部を含む範囲に剥離可能に設けられた剥離部２２ｐを有しており、トップシート２２のうち、剥離部２２ｐは尿知覚効果を有するとともに、トップシート２２以外は尿知覚効果を有しないものとなっている。「尿知覚効果を有する」とは、排尿時に装着者による尿の知覚を促すような工夫がなされているものをいい、「尿知覚効果を有しない」とはそのような工夫がないものいう。尿知覚効果を有するトップシート２２としては、代表的なものでは保水性素材（レーヨンやパルプ等を含有する不織布）からなるものや、撥水剤が内添又は外添されたもの、又はソルビトール等の温度変化物質を含有するもの等を例示することができる。トップシート２２は、剥離部２２ｐが尿知覚効果を有する限り、トップシート２２の全体にわたり尿知覚効果を有していてもよいし、剥離部２２ｐのみに尿知覚効果を有していてもよい。後者の場合、剥離部２２ｐの全体に尿知覚効果を有していても、剥離部２２ｐの一部に尿知覚効果を有していてもよい。
【００３９】
よって、本パッドタイプ使い捨ておむつ２００では、図７に示すように、トップシート２２の剥離部２２ｐを剥離せずにそのまま使用すれば、その剥離部２２ｐの尿知覚効果によりトイレトレーニング用として用いることができる。一方、夜間や外出の際には、図８〜図１０に示すように、トップシート２２の剥離部２２ｐを剥離し、取り除いてしまえば尿知覚効果の減少した通常の使い捨ておむつとして使用することができる。したがって、トイレトレーニング用及び通常用として兼用できることはもちろん、その変更は極めて容易である。なお、剥離部２２ｐを剥離した部位には、中間シート２４が露出し、トップシート２２の代わりを担う。このため、中間シート２４は、剥離部２２ｐの全部を含む範囲、つまり、剥離部２２ｐ部と同じか又は前後方向ＬＤ及び幅方向ＷＤの少なくとも一方において股間部Ｍよりも広い範囲に設けられることが好ましい。
【００４０】
使い捨ておむつにおける剥離部２２ｐの範囲は、股間部Ｍの少なくとも一部を含む範囲、つまり股間部Ｍの一部と同じか又は前後方向ＬＤ及び幅方向ＷＤの少なくとも一方において股間部Ｍの一部よりも広い範囲であればよい。例えば、図７、図１１及び図１２に示すように、剥離部２２ｐの両側縁は、起き上がりギャザー６０の倒伏部分６７の幅方向ＷＤ中央側に隣接する位置を通り、トップシート２２の前後方向ＬＤ全体にわたり直線的に連続していてもよい。この場合、剥離部２２ｐの前縁及び後縁はトップシート２２の前縁及び後縁に一致し、図示例のようにトップシート２２が使い捨ておむつの前縁から後縁まで延びている場合、剥離部２２ｐの前縁及び後縁はパッドタイプ使い捨ておむつ２００の前縁及び後縁に一致する。
【００４１】
剥離部２２ｐの両側縁は、倒伏部分６７の幅方向ＷＤの中央側の縁と一致していてもよいが、図７に示すように近接している（例えば５ｍｍ以下）か、又は図１２に示すようにある程度離間（例えば５ｍｍ超１５ｍｍ以下）していてもよい。図１５に示すように、剥離部２２ｐは、トップシート２２の露出部分（起き上がりギャザー６０により隠れない部分）における前後方向ＬＤの中間（例えば吸収体２３の前後縁よりも中央側）にのみ設けることもできる。
【００４２】
図示しないが、トップシート２２は、その全体が剥離部２２ｐであってもよい。つまり、トップシート２２の両側縁が倒伏部分６７よりも幅方向ＷＤの中央側に位置しており、トップシート２２の全体が剥離可能となっていてもよい。この場合、トップシート２２の両側縁と起き上がりギャザー６０の付根部分６５との間は中間シート２４で覆われていることが好ましい。
【００４３】
起き上がりギャザー６０の付根部分６５がトップシート２２の両側部を含む部分に固定されている一般的な構造（一方の起き上がりギャザー６０の付根部分６５から、他方の起き上がりギャザー６０の付根部分６５までがトップシート２２で覆われている構造）では、剥離部２２ｐは以下のように設けられていることが好ましい。すなわち、図３及び図４に示すように、トップシート２２は、裏側に隣接する部材（図示例では中間シート２４）に対して剥離可能とされた第１部分２２１と、裏側に隣接する部材（図示例では中間シート２４）に固定された第２部分２２２とを有している。第１部分２２１は、トップシート２２の幅方向ＷＤの中間に位置するとともに、トップシート２２の前後方向ＬＤ全体にわたっている。第２部分２２２は、トップシート２２における第１部分２２１の両脇に位置し、トップシート２２の前後方向ＬＤ全体にわたっている。そして、トップシート２２は、その前端から後端まで、第１部分２２１の両側部をそれぞれ通り連続する、一対のミシン目８０を有しており、このミシン目は、倒伏部分６７と対応する前後方向ＬＤの位置では倒伏部分６７よりも幅方向ＷＤの中央側に、及び起き上がり部分６８と対応する前後方向ＬＤの位置では付根部分６５よりも幅方向ＷＤの中央側に設けられている。なお、「第１部分２２１の両側部」とは、第１部分２２１内だけでなく、第１部分２２１及び第２部分２２２の境界を含み、第２部分２２２内は含まない意味である。
【００４４】
本パッドタイプ使い捨ておむつ２００では、一対のミシン目８０の間の部分が剥離部２２ｐとなる。よって、図７に示すように、ミシン目８０を切り離さずにそのまま使用すれば、その間に位置する部分（剥離部２２ｐ）の尿知覚効果によりトイレトレーニング用として用いることができる。一方、夜間や外出の際には、図８〜図１０に示すように、一対のミシン目８０を切り離して、その間に位置する部分（剥離部２２ｐ）を剥離し、取り除いてしまえば尿知覚効果の減少した通常の使い捨ておむつとして使用することができる。つまり、尿知覚効果は股間部Ｍこそ重要であり、股間部Ｍにおける尿知覚効果がなくなるということは、通常使用に足ることを意味する。また、トップシート２２の全体にわたり尿知覚効果用の薬液を含有させた場合のように、トップシート２２の剥離部２２ｐ分以外（ミシン目８０の外側）にも尿知覚効果を有する場合、剥離部２２ｐを剥離しても尿知覚効果は残ることになるが、その面積は剥離部２２ｐよりも格段に小さく、しかもその部分は起き上がりギャザー６０の存在により隠れるか、若しくは露出するとしても肌に触れにくいか、又は尿で濡れにくい部分であるため、尿知覚効果は格段に減少しており、通常使用に足るということができる。
【００４５】
トップシート２２は、剥離部２２ｐの側方まで尿知覚効果をもたせる（全体を濡れやすい素材とする等）と、製造が容易という点では好ましい。しかし、この場合、剥離部２２ｐを剥離しても尿知覚効果が残ることは前述のとおりである。そこで、このような場合、図１１に示すように、ミシン目８０は、起き上がり部分６８と対応する前後方向ＬＤの位置では、展開状態における起き上がり部分６８の先端の位置よりも幅方向ＷＤの外側に設けられていると好ましい。このようにミシン目８０の位置を起き上がり部分６８と重なる位置まで入り込ませ、剥離部２２ｐを剥離した際に残る部分のうち大部分が起き上がりギャザー６０の起き上がり部分６８で隠れるようにするのは好ましい。この場合、剥離部２２ｐを剥離すると、倒伏部分６７と対応する前後方向ＬＤの位置では、剥離部２２ｐの側方に残る尿知覚効果を有する部分は露出するが、そこは尿で濡れにくい部分であるため、尿知覚効果は格段に減少しており、通常使用に足るものとなる。
【００４６】
また、図１２に示すように、ミシン目８０は、倒伏部分６７と対応する前後方向ＬＤの位置では倒伏部分６７よりも幅方向ＷＤの中央側に離間しており、第１部分２２１は、ミシン目８０から側方に離間した位置まで延びており、図１３及び図１４に示すように、第１部分２２１のうち剥離部２２ｐを剥離したときにミシン目８０よりも側方に残留する残留部分８５が、中間シート２４側に折り返し可能であるのも好ましい。剥離部２２ｐを剥離したときに残るミシン目８０の切り口は、肌触りを悪化させるおそれがある。これに対して、剥離部２２ｐを剥離したときにミシン目８０よりも側方に残留する残留部分８５が、中間シート２４側に折り返し可能であると、ミシン目８０の切り口を隠すことができ、ミシン目８０の切り口による肌触りの悪化を防止できる。
【００４７】
剥離部２２ｐは、裏側に隣接する部材（図示例では中間シート２４）に剥離可能に接合された仮止め部８１を有することが好ましい。仮止め部８１を設けることにより、トップシート２２が浮いたり、皺が寄ったりするのを防止でき、もって見栄えや装着感、吸収性能に悪影響が出るのを防止することができる。仮止め部８１を、ホットメルト接着剤により形成する場合には、その塗布量を少なくする（例えば０．５〜１．０ｇ／ｍ2程度とし）ことにより実現することができる。また、仮止め部８１は、トップシート２２又はその裏側に隣接する部材の少なくとも一方の溶着により形成することもでき、その場合には溶着部の面積を小さくすることにより実現することができる。さらに、仮止め部８１は、粘着剤により形成することもでき、その場合には剥離後に粘着剤が剥離部２２ｐとともに除去され、剥離部２２ｐの裏側の部材に残らないようになっていることが望ましい。
【００４８】
仮止め部８１は、連続的に設けられていても断続的に設けられていてもよい。仮止め部８１は、幅方向ＷＤにおいて、図３、図４及び図７に示す例のようにミシン目８０よりも側方まで設けられていてもよいし、図１２〜１４に示す例のようにミシン目８０よりも中央側にしか設けられていなくてもよい。また、仮止め部８１は前後方向ＬＤにおいて前端及び後端まで設けられていてもよいが、前端部及び後端部の少なくとも一方には設けられていなくてもよい。すなわち、剥離部２２ｐにおける前後少なくとも一方の端部に、裏側に隣接する部材（図示例では中間シート２４）に固定されていない摘み部８２を有すると、剥離部２２ｐの剥離開始が容易となるため好ましい。
【００４９】
＜明細書中の用語の説明＞
明細書中の以下の用語は、明細書中に特に記載が無い限り、以下の意味を有するものである。
【００５０】
・「前後方向」とは図中に符号ＬＤで示す方向（縦方向）を意味し、「幅方向」とは図中にＷＤで示す方向（左右方向）を意味し、前後方向と幅方向とは直交するものである。
【００５１】
・「表側」とはパンツタイプ使い捨ておむつを着用した際に着用者の肌に近い方を意味し、「裏側」とはパンツタイプ使い捨ておむつを着用した際に着用者の肌から遠い方を意味する。
【００５２】
・「表面」とは部材の、パンツタイプ使い捨ておむつを着用した際に着用者の肌に近い方の面を意味し、「裏面」とはパンツタイプ使い捨ておむつを着用した際に着用者の肌から遠い方の面を意味する。
【００５３】
・「伸長率」は、自然長を１００％としたときの値を意味する。例えば、伸長率が２００％とは、伸長倍率が２倍であることと同義である。
【００５４】
・「ゲル強度」は次のようにして測定されるものである。人工尿（尿素：２ｗｔ％、塩化ナトリウム：０．８ｗｔ％、塩化カルシウム二水和物：０．０３ｗｔ％、硫酸マグネシウム七水和物：０．０８ｗｔ％、及びイオン交換水：９７．０９ｗｔ％を混合したもの）４９．０ｇに、高吸収性ポリマーを１．０ｇ加え、スターラーで攪拌させる。生成したゲルを４０℃×６０％ＲＨの恒温恒湿槽内に３時間放置したあと常温にもどし、カードメーター（Ｉ．ｔｅｃｈｎｏ  Ｅｎｇｉｎｅｅｒｉｎｇ社製：Ｃｕｒｄｍｅｔｅｒ−ＭＡＸ  ＭＥ−５００）でゲル強度を測定する。
【００５５】
・「目付け」は次のようにして測定されるものである。試料又は試験片を予備乾燥した後、標準状態（試験場所は、温度２３±１℃、相対湿度５０±２％）の試験室又は装置内に放置し、恒量になった状態にする。予備乾燥は、試料又は試験片を温度１００℃の環境で恒量にすることをいう。なお、公定水分率が０．０％の繊維については、予備乾燥を行わなくてもよい。恒量になった状態の試験片から、試料採取用の型板(１００ｍｍ×１００ｍｍ)を使用し、１００ｍｍ×１００ｍｍの寸法の試料を切り取る。試料の重量を測定し、１００倍して１平米あたりの重さを算出し、目付けとする。
【００５６】
・「厚み」は、自動厚み測定器（ＫＥＳ−Ｇ５  ハンディ圧縮計測プログラム）を用い、荷重：０．０９８Ｎ／ｃｍ2、及び加圧面積：２ｃｍ2の条件下で自動測定する。
【００５７】
・「展開状態」とは、収縮や弛み無く平坦に展開した状態を意味する。
【００５８】
・各部の寸法は、特に記載が無い限り、自然長状態ではなく展開状態における寸法を意味する。
【００５９】
・試験や測定における環境条件についての記載が無い場合、その試験や測定は、標準状態（試験場所は、温度２３±１℃、相対湿度５０±２％）の試験室又は装置内で行うものとする。
【産業上の利用可能性】
【００６０】
本発明は、上記例のようなパッドタイプ使い捨ておむつに限られず、テープタイプやパンツタイプの使い捨ておむつ等、他の使い捨ておむつにも利用可能なものである。
【符号の説明】
【００６１】
Ａ１…伸縮領域、Ａ２…非伸縮領域、Ｂ１…後側部分、Ｆ１…前側部分、ＬＤ…前後方向、ＬＯ…脚開口、Ｍ…股間部、ＳＦ…サイドフラップ部、ＷＤ…幅方向、２１…液不透過性シート、２２…トップシート、２２ｐ…剥離部、２３…吸収体、２３ｎ…括れ部、２４…中間シート、２５…外装シート、３０…粘着剤層、３１…剥離シート、６０…起き上がりギャザー、６２…ギャザーシート、６３…ギャザー弾性部材、６４…サイド弾性部材、６５…付根部分、６６…本体部分、６７…倒伏部分、６８…起き上がり部分、８０…ミシン目、８１…仮止め部、８２…摘み部、８５…残留部分、１００…下着、２００…パッドタイプ使い捨ておむつ、２２１…第１部分、２２２…第２部分。
【図１】
2020049023.tif 000003
【図２】
2020049023.tif 000004
【図３】
2020049023.tif 000005
【図４】
2020049023.tif 000006
【図５】
2020049023.tif 000007
【図６】
2020049023.tif 000008
【図７】
2020049023.tif 000009
【図８】
2020049023.tif 000010
【図９】
2020049023.tif 000011
【図１０】
2020049023.tif 000012
【図１１】
2020049023.tif 000013
【図１２】
2020049023.tif 000014
【図１３】
2020049023.tif 000015
【図１４】
2020049023.tif 000016
【図１５】
2020049023.tif 000017